(57)【要約】      （修正有）【課題】インクジェット記録に適する高い鮮明性をもつ色相を有する化合物の提供。【解決手段】式（１）で表されるアントラピリドン化合物またはその塩。2008202011.tif 000014（式（１）中、Ｒ1はＨ；アルキル基等、Ｒ2はＨ又は低級アルコキシ基を、Ｘ及びＹは各々Ｈ又はイオン性親水性基を、ＬはＨ；置換基を有していてもよいアリール基等を表し、ＬがＨまたは該アリール基の場合、Ｚで表される基は存在せず、Ｌがアルキレン基の場合、Ｚは塩素原子；置換基を有してもよいアルキルチオ基等を表す。）【選択図】なし【特許請求の範囲】
【請求項１】
下記式（１）で表されるアントラピリドン化合物またはその塩、
【化１】
2008202011.tif 000013
（式（１）中、
Ｒ1は水素原子；アルキル基；ヒドロキシ低級アルキル基；シクロヘキシル基；モノ−若しくはジ−アルキルアミノアルキル基；又はシアノ低級アルキル基を、
Ｒ2は水素原子又は低級アルコキシ基を、
Ｘ及びＹは各々独立して水素原子又はイオン性親水性基を、
Ｌは水素原子；アルキル基、スルホ基、カルボキシ基、アルコキシカルボニル基、アシル基、カルバモイル基、シアノ基、アルコキシ基、フェノキシ基、及びハロゲン原子よりなる群から選択される置換基を有していてもよいアリール基；又はアルキレン基を表し、
Ｌが水素原子またはアリール基の場合、Ｚで表される基は存在せず、
Ｌがアルキレン基の場合、Ｚは塩素原子；水酸基；アミノ基；スルホ基、カルボキシ基、水酸基、アルキル基及びアルコキシ基よりなる群から選択される置換基を有していても良いアニリノ基；ナフタレン環がスルホ基で置換されていても良いナフチルアミノ基；アルキル基上にスルホ基、カルボキシ基及び水酸基よりなる群から選択される置換基を有しても良いモノ−若しくはジ−アルキルアミノ基；アラルキルアミノ基；スルホ基、カルボキシ基、アセチルアミノ基、アミノ基及び水酸基よりなる群から選択される置換基を有していても良いフェノキシ基；スルホ基、カルボキシ基、水酸基、アルキル基、アルコキシ基よりなる群から選択される置換基を有してもよいフェニルチオ基；モノ−若しくはジ−アルキルアミノアルキルアミノ基；モルホリノ基；又はアルキル基上にスルホ基、カルボキシ基及び水酸基よりなる群から選択される置換基を有してもよいアルキルチオ基、
をそれぞれ表す。）
【請求項２】
Ｒ1が水素原子又はメチル基を、Ｒ2は水素原子又はメトキシ基を、Ｘ及びＹがそれぞれ独立に水素原子またはスルホ基で表される請求項１に記載のアントラピリドン化合物またはその塩
【請求項３】
Ｒ1が水素原子又はメチル基を、Ｒ2は水素原子を、Ｘ及びＹがそれぞれ独立に水素原子またはスルホ基で表される請求項１に記載のアントラピリドン化合物またはその塩
【請求項４】
Ｒ1が水素原子又はメチル基を、
Ｒ2は水素原子を、
Ｘ及びＹはそれぞれ独立に水素原子またはスルホ基を、
Ｌは水素原子、又はＣ１〜Ｃ４アルキレン基を表し、
Ｌが水素原子の場合、Ｚで表される基は存在せず、
Ｌがアルキレン基の場合、Ｚは塩素原子；水酸基；アミノ基；スルホ基、カルボキシ基、水酸基、アルキル基、アルコキシ基よりなる群から選択される置換基を有していても良いアニリノ基；スルホ基、カルボキシ基、水酸基、アルキル基、アルコキシ基よりなる群から選択される置換基で置換されていてもよいフェニルチオ基；ナフタレン環がスルホ基で置換されていても良いナフチルアミノ基；アルキル基上にスルホ基、カルボキシ基及び水酸基よりなる群から選択される置換基を有しても良いモノ−若しくはジ−アルキルアミノ基；アラルキルアミノ基；又はアルキル基上にスルホ基、カルボキシ基及び水酸基よりなる群から選択される置換基を有してもよいアルキルチオ基、
で表される請求項１に記載のアントラピリドン化合物又はその塩
【請求項５】
Ｒ1が水素原子又はメチル基を、
Ｒ2は水素原子を、
Ｘ及びＹはそれぞれ独立に水素原子またはスルホ基を、
Ｌは水素原子、又はメチレン基を表し、
Ｌが水素原子の場合、Ｚで表される置換基は存在せず、
Ｌがメチレン基の場合、Ｚは水酸基；アミノ基；スルホ基、カルボキシ基、水酸基、アルキル基及びアルコキシ基よりなる群から選択される置換基で置換されていても良いアニリノ基；スルホ基、カルボキシ基、水酸基、アルキル基、アルコキシ基よりなる群から選択される置換基で置換されていてもよいフェニルチオ基；ナフタレン環がスルホ基で置換されていても良いナフチルアミノ基；アルキル基上にスルホ基、カルボキシ基および水酸基よりなる群から選択される置換基を有しても良いモノ−若しくはジ−アルキルアミノ基；アラルキルアミノ基；又はアルキル基上にスルホ基、カルボキシ基および水酸基よりなる群から選択される置換基を有してもよいアルキルチオ基、
で表される請求項１に記載のアントラピリドン化合物またはその塩
【請求項６】
Ｒ1が水素原子又はメチル基を、
Ｒ2は水素原子又はメトキシ基を、
Ｘ及びＹはそれぞれ独立に水素原子又はスルホ基を、
Ｌは水素原子、フェニル基又はメチレン基を表し、
Ｌが水素原子又はフェニル基の場合、Ｚで表される置換基は存在せず、
Ｌがメチレン基の場合、Ｚはスルホ基、カルボキシ基、水酸基、Ｃ１−Ｃ４アルキル基、Ｃ１−Ｃ４アルコキシ基よりなる群から選択される置換基を有してもよいフェニルチオ基；アルキル基上にスルホ基、カルボキシ基及び水酸基よりなる群から選択される置換基を有するモノ−（Ｃ１−Ｃ４）アルキルアミノ基；ベンジルアミノ基；又はアルキル基上にスルホ基を有するＣ１−Ｃ４アルキルチオ基、
で表される請求項１に記載のアントラピリドン化合物またはその塩
【請求項７】
Ｒ1がメチル基を、
Ｒ2は水素原子を、
Ｘ及びＹはそれぞれ独立に水素原子またはスルホ基を、
Ｌは水素原子、又はメチレン基を表し、
Ｌが水素原子の場合、Ｚで表される置換基は存在せず、
Ｌがメチレン基の場合、Ｚはフェニル基上にカルボキシ基を有するフェニルチオ基；アルキル基上にスルホ基、カルボキシ基および水酸基よりなる群から選択される置換基を有するＣ１−Ｃ４アルキルチオ基、
で表される請求項１に記載のアントラピリドン化合物またはその塩
【請求項８】
請求項１乃至７に記載のアントラピリドン化合物又はその塩を含むことを特徴とするインクジェット用記録用インク組成物
【請求項９】
水溶性有機溶剤をさらに含有する請求項８に記載のインクジェット記録用インク組成物
【請求項１０】
請求項１乃至７に記載のアントラピリドン化合物又はその塩中に含有される無機塩の含有量が、１重量％以下である請求項８又は９に記載のインクジェット記録用インク組成物
【請求項１１】
請求項１乃至７に記載のアントラピリドン化合物の含有量が０．１〜２０重量％である請求項８乃至１０のいずれか一項に記載のインクジェット記録用インク組成物
【請求項１２】
インク滴を記録信号に応じて吐出させて被記録材料に記録を行うインクジェット記録方法において、インクとして請求項８乃至１１のいずれか一項に記載のインクジェット記録用インク組成物を使用することを特徴とするインクジェット記録方法
【請求項１３】
被記録材料が情報伝達用シートである請求項１２に記載のインクジェット記録方法
【請求項１４】
情報伝達用シートが多孔性白色無機物を含有するインク受容層を有するシートである請求項１３に記載のインクジェット記録方法
【請求項１５】
請求項１２乃至１４のいずれか一項に記載のインクジェット記録方法により着色された着色体
【請求項１６】
請求項８乃至１１のいずれか一項に記載のインクジェット記録用インク組成物を含有する容器が装填されたインクジェットプリンタ
【発明の詳細な説明】
【技術分野】
【０００１】
本発明は、新規アントラピリドン化合物、そのアントラピリドン化合物を含有するバイオレット色のインクジェット記録用インク組成物及びこれらにより着色された着色体に関する。
【背景技術】
【０００２】
各種カラー記録方法の中で、その代表的方法の一つであるインクジェットプリンタによる記録方法は、インクの各種吐出方式が開発されているが、いずれも水性インクの小滴を発生させ、これを種々の被記録材料（紙、フィルム、布帛等）に付着させ記録を行うものである。
この記録方法は、記録ヘッドと被記録材料とが接触しない為、音の発生が少なく静かであり、また小型化、高速化、カラー化が容易であるという特長の為、近年急速に普及しつつあり、今後とも大きな伸長が期待されている。
コンピューターのカラーディスプレー上にて表現される画像又は文字情報をインクジェットプリンタによりカラ−記録する場合、一般にはイエロー（Ｙ）、マゼンタ（Ｍ）、シアン（Ｃ）、及びブラック（Ｋ）の４色のインクによる減法混色で記録される。
ＣＲＴディスプレー等で表現されるレッド（Ｒ）、グリーン（Ｇ）、及びブルー（Ｂ）による加法混色画像を減法混色画像で出来るだけ忠実に再現するには、Ｙ、Ｍ、Ｃのそれぞれが、標準の色相に近い色相を有し且つ鮮明であることが望まれる。
例えば特許文献１において、７色（Ｙ、Ｍ、Ｃ、Ｒ、Ｇ、Ｂ、Ｋ）インクを用いるインクジェット印刷法が提案されているが、開示された染料は、可溶性基を持たせた建染染料（バット染料）であり、色相、鮮明性、堅牢度などの点から市場の要求を完全に満足するには至っていない。
また、従来インクジェット用インクとして用いられているＹ、Ｍ、Ｃを予め混合して得られたＲ、Ｇ、Ｂ等の各インクを用いた場合であっても、鮮明性に優れた印刷物が得られないという問題がある。
【０００３】
一方、ブルーの色域を広げる有効的な色相としては、赤味のブルーすなわちバイオレット色が最も優れているといわれている（例えば特許文献１、特許文献２を参照）。
インクジェット記録用バイオレット色素の例としては、従来Ｃ．Ｉ．アシッドバイオレット１７、Ｃ．Ｉ．アシッドバイオレット４８等が挙げられている（例えば特許文献２、特許文献３を参照）。これらの色素は、色相、鮮明性は良好であるものの、溶解性、堅牢性などが不十分であり、市場の要求を満たすには至っていない。
また、長期の保存に対し安定であり、プリントした画像の濃度が高く、しかも耐水性、耐光性及び耐ガス性等の堅牢度に優れているインク組成物が求められている。
さらに最近のデジタルカメラの普及と共に、家庭でも画像をプリントする機会が増していることから、得られたプリント物を保管する時に、空気中の酸化性ガスによる画像の変色が生じてしまうことも問題視されている。
【０００４】
【特許文献１】特開２００２年―２４１６６１号公報（第１−１７頁）
【特許文献２】特開平７−３０５０１４号（第６頁）
【特許文献３】特開２００３−３４７６５号（第６頁）
【特許文献４】特開２００５−１３９３７７号（第１−１４頁）
【特許文献５】特開２００５−３２０４８０号（第１−２０頁）
【発明の開示】
【発明が解決しようとする課題】
【０００５】
本発明は水に対する溶解性が高く、インクジェット記録に適する色相と鮮明性を有し、人に対してより安全性の高い、赤味のブルーすなわちバイオレット色を呈するインクジェット記録用インク組成物を提供する事を目的とする。
【課題を解決するための手段】
【０００６】
本発明者らは前記したような課題を解決すべく鋭意研究を重ねた結果、本発明に至ったものである。即ち本発明は、
（１）
下記式（１）で表されるアントラピリドン化合物またはその塩、
【化１】
2008202011.tif 000002
（式（１）中、
Ｒ1は水素原子；アルキル基；ヒドロキシ低級アルキル基；シクロヘキシル基；モノ−若しくはジ−アルキルアミノアルキル基；又はシアノ低級アルキル基を、
Ｒ2は水素原子又は低級アルコキシ基を、
Ｘ及びＹは各々独立して水素原子又はイオン性親水性基を、
Ｌは水素原子；アルキル基、スルホ基、カルボキシ基、アルコキシカルボニル基、アシル基、カルバモイル基、シアノ基、アルコキシ基、フェノキシ基、及びハロゲン原子よりなる群から選択される置換基を有していてもよいアリール基；又はアルキレン基を表し、
Ｌが水素原子またはアリール基の場合、Ｚで表される基は存在せず、
Ｌがアルキレン基の場合、Ｚは塩素原子；水酸基；アミノ基；スルホ基、カルボキシ基、水酸基、アルキル基及びアルコキシ基よりなる群から選択される置換基を有していても良いアニリノ基；ナフタレン環がスルホ基で置換されていても良いナフチルアミノ基；アルキル基上にスルホ基、カルボキシ基及び水酸基よりなる群から選択される置換基を有しても良いモノ−若しくはジ−アルキルアミノ基；アラルキルアミノ基；スルホ基、カルボキシ基、アセチルアミノ基、アミノ基及び水酸基よりなる群から選択される置換基を有していても良いフェノキシ基；スルホ基、カルボキシ基、水酸基、アルキル基、アルコキシ基よりなる群から選択される置換基を有してもよいフェニルチオ基；モノ−若しくはジ−アルキルアミノアルキルアミノ基；モルホリノ基；又はアルキル基上にスルホ基、カルボキシ基及び水酸基よりなる群から選択される置換基を有してもよいアルキルチオ基、
をそれぞれ表す。）、
（２）
Ｒ1が水素原子又はメチル基を、Ｒ2は水素原子又はメトキシ基を、Ｘ及びＹがそれぞれ独立に水素原子またはスルホ基で表される（１）に記載のアントラピリドン化合物またはその塩、
（３）
Ｒ1が水素原子又はメチル基を、Ｒ2は水素原子を、Ｘ及びＹがそれぞれ独立に水素原子またはスルホ基で表される（１）に記載のアントラピリドン化合物またはその塩、
（４）
Ｒ1が水素原子又はメチル基を、
Ｒ2は水素原子を、
Ｘ及びＹはそれぞれ独立に水素原子またはスルホ基を、
Ｌは水素原子、又はＣ１〜Ｃ４アルキレン基を表し、
Ｌが水素原子の場合、Ｚで表される基は存在せず、
Ｌがアルキレン基の場合、Ｚは塩素原子；水酸基；アミノ基；スルホ基、カルボキシ基、水酸基、アルキル基、アルコキシ基よりなる群から選択される置換基を有していても良いアニリノ基；スルホ基、カルボキシ基、水酸基、アルキル基、アルコキシ基よりなる群から選択される置換基で置換されていてもよいフェニルチオ基；ナフタレン環がスルホ基で置換されていても良いナフチルアミノ基；アルキル基上にスルホ基、カルボキシ基及び水酸基よりなる群から選択される置換基を有しても良いモノ−若しくはジ−アルキルアミノ基；アラルキルアミノ基；又はアルキル基上にスルホ基、カルボキシ基及び水酸基よりなる群から選択される置換基を有してもよいアルキルチオ基、
で表される（１）に記載のアントラピリドン化合物又はその塩、
（５）
Ｒ1が水素原子又はメチル基を、
Ｒ2は水素原子を、
Ｘ及びＹはそれぞれ独立に水素原子またはスルホ基を、
Ｌは水素原子、又はメチレン基を表し、
Ｌが水素原子の場合、Ｚで表される置換基は存在せず、
Ｌがメチレン基の場合、Ｚは水酸基；アミノ基；スルホ基、カルボキシ基、水酸基、アルキル基及びアルコキシ基よりなる群から選択される置換基で置換されていても良いアニリノ基；スルホ基、カルボキシ基、水酸基、アルキル基、アルコキシ基よりなる群から選択される置換基で置換されていてもよいフェニルチオ基；ナフタレン環がスルホ基で置換されていても良いナフチルアミノ基；アルキル基上にスルホ基、カルボキシ基および水酸基よりなる群から選択される置換基を有しても良いモノ−若しくはジ−アルキルアミノ基；アラルキルアミノ基；又はアルキル基上にスルホ基、カルボキシ基および水酸基よりなる群から選択される置換基を有してもよいアルキルチオ基、
で表される（１）に記載のアントラピリドン化合物またはその塩、
（６）
Ｒ1が水素原子又はメチル基を、
Ｒ2は水素原子又はメトキシ基を、
Ｘ及びＹはそれぞれ独立に水素原子又はスルホ基を、
Ｌは水素原子、フェニル基又はメチレン基を表し、
Ｌが水素原子又はフェニル基の場合、Ｚで表される置換基は存在せず、
Ｌがメチレン基の場合、Ｚはスルホ基、カルボキシ基、水酸基、Ｃ１−Ｃ４アルキル基、Ｃ１−Ｃ４アルコキシ基よりなる群から選択される置換基を有してもよいフェニルチオ基；アルキル基上にスルホ基、カルボキシ基及び水酸基よりなる群から選択される置換基を有するモノ−（Ｃ１−Ｃ４）アルキルアミノ基；ベンジルアミノ基；又はアルキル基上にスルホ基を有するＣ１−Ｃ４アルキルチオ基、
で表される（１）に記載のアントラピリドン化合物またはその塩、
（７）
Ｒ1がメチル基を、
Ｒ2は水素原子を、
Ｘ及びＹはそれぞれ独立に水素原子またはスルホ基を、
Ｌは水素原子、又はメチレン基を表し、
Ｌが水素原子の場合、Ｚで表される置換基は存在せず、
Ｌがメチレン基の場合、Ｚはフェニル基上にカルボキシ基を有するフェニルチオ基；アルキル基上にスルホ基、カルボキシ基および水酸基よりなる群から選択される置換基を有するＣ１−Ｃ４アルキルチオ基、
で表される（１）に記載のアントラピリドン化合物またはその塩、
（８）
（１）乃至（７）に記載のアントラピリドン化合物又はその塩を含むことを特徴とするインクジェット用記録用インク組成物、
（９）
水溶性有機溶剤をさらに含有する（８）に記載のインクジェット記録用インク組成物、
（１０）
（１）乃至（７）に記載のアントラピリドン化合物又はその塩中に含有される無機塩の含有量が、１重量％以下である（８）又は（９）に記載のインクジェット記録用インク組成物、
（１１）
（１）乃至（７）に記載のアントラピリドン化合物の含有量が０．１〜２０重量％である（８）乃至（１０）のいずれか一項に記載のインクジェット記録用インク組成物、
（１２）
インク滴を記録信号に応じて吐出させて被記録材料に記録を行うインクジェット記録方法において、インクとして（８）乃至（１１）のいずれか一項に記載のインクジェット記録用インク組成物を使用することを特徴とするインクジェット記録方法、
（１３）
被記録材料が情報伝達用シートである（１２）に記載のインクジェット記録方法、
（１４）
情報伝達用シートが多孔性白色無機物を含有するインク受容層を有するシートである（１３）に記載のインクジェット記録方法、
（１５）
（１２）乃至（１４）のいずれか一項に記載のインクジェット記録方法により着色された着色体、
（１６）
（８）乃至（１１）のいずれか一項に記載のインクジェット記録用インク組成物を含有する容器が装填されたインクジェットプリンタ、
に関する。
【発明の効果】
【０００７】
以下便宜上、特に断りのない限り、本発明の「インクジェット記録用インク組成物」を単に「インク組成物」、本発明の「化合物又はその塩」をまとめて単に「化合物」と記載する。
本発明のインク組成物は、その製造過程でのメンブランフィルターに対するろ過性が良好である。又、該インク組成物は長期間保存しても結晶の析出、物性の変化、色相の変化等がなく、貯蔵安定性が良好である。そして本発明のインク組成物をインクジェット記録用のバイオレットインクとして使用した印刷物はメディア（紙、フィルム等）を選択することなく理想的なバイオレットの色相であり、従来のインクジェット記録に用いられているシアン及びマゼンタインクとにより色だしされたバイオレット（色）よりも、鮮明性の高いバイオレット（色）を再現させることが可能である。このため、カラー画像の色相を紙の上に、より忠実に再現させることができる。
更に本発明のインク組成物は、例え従来のシアン及びマゼンタインク等と共に用いた場合であっても耐光性、耐オゾン性、耐湿性などに優れたインクジェット記録を可能にする。
【発明を実施するための最良の形態】
【０００８】
本発明を詳細に説明する。
本発明のアントラピリドン化合物は、前記式（１）で表される。以下式（１）におけるＲ1、Ｒ2、Ｘ、Ｙ、Ｌ及びＺの各基について説明する。
【０００９】
式（１）中、Ｒ1は水素原子；アルキル基；ヒドロキシ低級アルキル基；シクロヘキシル基；モノ−若しくはジ−アルキルアミノアルキル基；又はシアノ低級アルキル基を表す。
【００１０】
ここで、本明細書において、「アルキル基」と記載した場合、該アルキル基としては、例えばメチル、エチル、ｎ−プロピル、ｉｓｏ−プロピル、ｎ−ブチル、ｓｅｃ−ブチル、ｔ−ブチル、ｉｓｏ−ブチル、ｎ−ペンチル、ｎ−ヘキシル、ｎ−ヘプチル、ｎ−オクチル等の炭素数１〜８の直鎖、分岐鎖または環状のアルキル基があげられる。
アルキル基の炭素数は、通常Ｃ１−Ｃ８、好ましくはＣ１−Ｃ６、さらに好ましくはＣ１−Ｃ４であり、好ましい具体例は上記の通りである。鎖状及び環状のいずれも好ましいが、鎖状であるほうが好ましく、直鎖はより好ましい。
「低級アルキル基」と記載した場合、該低級アルキル基としては、上記アルキル基中、通常炭素数１〜６、好ましくは炭素数１〜４のものを挙げることができ、より好ましくはメチル、エチル、ｎ−プロピルおよびｉｓｏ−プロピルを挙げることができる。
本明細書において低級アルキル基以外のもの、例えば「低級アルコキシ基」や「低級アルコール」などの場合においても、便宜上、「低級」と記載した場合には、特に断りの無い限り同様の炭素数の範囲が好ましい。また環状より鎖状が好ましく、分岐鎖より直鎖が好ましいのも同様である。
【００１１】
Ｒ1がヒドロキシ低級アルキル基である場合、該アルキル基の炭素数は上記のものが好ましい。具体例としては、ヒドロキシエチル、ヒドロキシプロピル、ヒドロキシブチル等である。
【００１２】
Ｒ1がモノ−若しくはジ−アルキルアミノアルキル基の場合も、該アルキル基の炭素数は上記のものが好ましい。モノ−若しくはジ−アルキルアミノアルキル基の具体例としては、それぞれメチルアミノプロピル、エチルアミノプロピル等、若しくはジメチルアミノプロピル、ジエチルアミノエチル等があげられる。
【００１３】
シアノ低級アルキル基である場合、該アルキル基の炭素数は上記のものが好ましい。具体例としては、シアノエチル、シアノプロピル、シアノブチル等が挙げられる。
【００１４】
好ましいＲ1としては水素原子、または低級アルキル基が挙げられ、水素原子、メチルがより好ましく、メチルが特に好ましい。
【００１５】
Ｒ2は水素原子又は低級アルコキシ基を表す。
Ｒ2が低級アルコキシ基である場合、該アルコキシ基の炭素数は上記のものが好ましい。具体例としては、メトキシ、エトキシ、プロポキシ、ブトキシ等が挙げられる。
Ｒ2は水素原子又はメトキシが好ましく、水素原子がより好ましい。
【００１６】
Ｘ及びＹは各々独立して水素原子またはイオン性親水性基を表す。イオン性親水性基としては、例えばスルホ基、カルボキシル基、ホスホノ基、４級アンモニウム基等が挙げられるが、スルホ基が特に好ましい。
Ｘ及びＹは、いずれも水素原子であってもよいが、少なくともいずれか一方がスルホであることがより好ましく、両者が共にスルホであるものも同様に好ましい。
【００１７】
Ｌは水素原子；アルキル基、スルホ、カルボキシ、アルコキシカルボニル、アシル、カルバモイル、シアノ、アルコキシ、フェノキシ、及びハロゲン原子よりなる群から選択される置換基を有してもよいアリール基；又はアルキレン基を表す。
Ｌが水素原子又は置換基を有してもよいアリール基の場合、Ｚで表される基は存在しない。
Ｌがアリール基である場合、該アリール基はＣ６−Ｃ１４で構成されるアリール基、例えばフェニル、ナフチル、アントラセニル等があげられ、好ましくはフェニルまたはナフチルである。
該アリール基上の置換基としては、低級アルキル基、スルホ、カルボキシが好ましく、スルホがより好ましい。
Ｌは水素原子、置換アリール基、及びアルキレン基である場合のいずれもが好ましい。
【００１８】
Ｌがアルキレン基の場合、通常Ｃ１−Ｃ８、好ましくはＣ１−Ｃ６、より好ましくはＣ１−Ｃ４アルキレンが好ましい。通常、「アルキレン」と表現する場合には直鎖のもののみをいうが、本明細書においては便宜上、総炭素数が上記の範囲である２価のアルキル型連結基であれば、これを「アルキレン基」に含む。また直鎖、分岐鎖及び環状のもののいずれをも含む。好ましくは鎖状、より好ましくは直鎖のアルキレン基である。具体的にはメチレン、エチレン、プロピレン、ブチレンが挙げられ、メチレンが特に好ましい。
【００１９】
Ｌがアルキレン基の場合にはＺで表される基を有する。
Ｚは塩素原子；水酸基；アミノ；スルホ、カルボキシ、水酸基、アルキル基及びアルコキシ基よりなる群から選択される置換基を有していても良いアニリノ基；ナフタレン環がスルホ基で置換されていても良いナフチルアミノ基；アルキル基上にスルホ、カルボキシ及び水酸基よりなる群から選択される置換基を有しても良いモノ−若しくはジ−アルキルアミノ基；アラルキルアミノ基；スルホ、カルボキシ、アセチルアミノ、アミノ及び水酸基よりなる群から選択される置換基を有していても良いフェノキシ基；モノ−若しくはジ−アルキルアミノアルキルアミノ基；モルホリノ；又はアルキル基上にスルホ、カルボキシ及び水酸基よりなる群から選択される置換基を有してもよいアルキルチオ基；又はスルホ基、カルボキシ基、水酸基、アルキル基、アルコキシ基からなる郡から選択される置換基で置換されていてもよいフェニルチオ基、を表す。
アラルキルアミノ基としては、「（Ｃ６−Ｃ１４）アリール−アルキレン基−アミノ」の構成であるものが好ましい。該（Ｃ６−Ｃ１４）アリール基、及びアルキレン基は、上記と同じものがよい。具体例としてはベンジルアミノが挙げられる。
モノ−若しくはジ−アルキルアミノアルキルアミノ基における、「アルキルアミノアルキルアミノ基」としては、「低級アルキル−アミノ−低級アルキル−アミノ」の構成であるものが好ましい。該低級アルキル基は、上記と同じものがよい。
アルキルチオ基のアルキル部分も、上記の低級アルキルが好ましい。
上記のＺのうち、好ましい基としては置換基を有していてもよいアニリノ基、置換基を有してもよいモノ−アルキルアミノ基、アラルキルアミノ基、置換基を有してもよいフェニルチオ基、モルホリノ、置換基を有してもよいアルキルチオ基である。
Ｚとしてより好ましい基はアラルキルアミノ基、置換基を有してもよいフェニルチオ基及び置換基を有してもよいアルキルチオ基である。
具体的にはスルホエチルアミノ、ｐ−スルホアニリノ、ベンジルアミノ、２−カルボキシフェニルチオ、モルホリノ、カルボキシメチルチオ、カルボキシエチルチオ、スルホプロピルチオが好ましく、ベンジルアミノ、２−カルボキシフェニルチオ、３−スルホプロピルチオがより好ましい。
【００２０】
なお、Ｒ1、Ｒ2、Ｘ、Ｙ、Ｌ及びＺの各基それぞれに挙げた、好ましい基同士を組合わせた化合物はさらに好ましく、より好ましい基を組合わせた化合物はより一層好ましい。
【００２１】
特に好ましい具体的な化合物は、Ｒ1がメチル、Ｒ2が水素原子、Ｘがスルホ、Ｙが水素原子又はスルホ、Ｌが水素原子、又はフェニル；又はＲ1、Ｒ2、Ｘ及びＹが同様で、Ｌがメチレンであり、Ｚが３−スルホプロピルチオ又は２−カルボキシフェニルチオで表される組合わせの化合物である。
【００２２】
上記式（１）で表される化合物は、無機又は有機陽イオンと塩を形成してもよい。すなわち、遊離酸であってもその塩であっても、いずれも好ましい。
式（１）の化合物が形成する塩としては、アルカリ金属塩、たとえばリチウム、ナトリウム、カリウムと形成する塩；アンモニアと形成するアンモニウム塩；または下記式（２）で表されるアンモニウム塩などが好ましい。
【化２】
2008202011.tif 000003
（式（２）中、Ｚ1〜Ｚ4はそれぞれ独立に水素原子、アルキル基、ヒドロキシアルキル基又はヒドロキシアルコキシアルキル基を表わす。）
式（２）のＺ1〜Ｚ4の具体例としては、以下のものが挙げられる。すなわち、アルキル基としてはメチル、エチル等；ヒドロキシアルキル基としてはヒドロキシメチル、２−ヒドロキシエチル、３−ヒドロキシプロピル、２−ヒドロキシプロピル、４−ヒドロキシブチル、３−ヒドロキシブチル、２−ヒドロキシブチル等；ヒドロキシアルコキシアルキル基としては、ヒドロキシエトキシメチル、２−ヒドロキシエトキシエチル、３−ヒドロキシエトキシプロピル、３−ヒドロキシエトキシブチル、２−ヒドロキシエトキシブチル等があげられる。
【００２３】
これらのうち、より好ましいものとしては、ナトリウム、カリウム、リチウム等のアルカリ金属塩；モノエタノールアミン、ジエタノールアミン、トリエタノールアミン、モノイソプロパノールアミン、ジイソプロパノールアミン、トリイソプロパノールアミン等の有機陽イオン塩；及び、アンモニウム塩等が挙げられる。特に好ましいものは、リチウム、アンモニウムおよびナトリウムの塩である。
【００２４】
上記の塩の調製法としては、例えば目的化合物を含む反応液、目的化合物のケーキ、または該化合物の乾燥品等を水に溶解し、これに食塩を加えて、塩析後、析出固体を濾取することによって該化合物のナトリウム塩をウエットケーキとして得ることができる。
得られたウエットケーキを再び水に溶解し、塩酸等の鉱酸を加えてｐＨを１〜２に調整することにより析出する固体を濾取すれば、該化合物の遊離酸あるいは遊離酸とナトリウム塩の混合物をウエットケーキとして得ることができる。
更に、該遊離酸のウエットケーキを水と共に攪拌しながら、例えば、水酸化リチウム、水酸化ナトリウム等のアルカリ金属の水酸化物、又はアンモニア水等を添加してアルカリ性にすれば、各々相当するリチウム塩、ナトリウム塩、又はアンモニウム塩が得られる。該遊離酸の代わりに遊離酸と特定の塩との混合物を用いれば、例えばリチウムとナトリウム、リチウムとアンモニウム、ナトリウムとアンモニウム等の混塩を得ることもできる。
塩の種類により、化合物の性質が変化することもしばしば観察される。該性質は、例えばインク組成物とした場合の保存安定性、該インク組成物により記録された記録画像の耐久性等に影響を与える場合もある。従って、これらの塩は、目的とする性能に応じて適宜選択するのがよい。
【００２５】
式（１）で示されるアントラピリドン化合物の具体的化合物の一例として、下記表１に化合物Ｎｏ．１〜２６を挙げるが、本発明はこれらの具体例に限定されるものではない。
【００２６】
【表１】
2008202011.tif 000004
【００２７】
以下に本発明の化合物の製造方法を記載する。
なお下記式（３）〜（１０）中に記載のＲ1、Ｒ2、Ｘ、Ｙ、Ｌ、及びＺは、上記式（１）におけるのと同じ意味を表す。
【００２８】
下記式（３）で示されるアントラキノン化合物１モルに、下記式（５）で表されるベンゾイル酢酸エチルエステル誘導体１．１〜３モルを、キシレン等の極性溶媒中、炭酸ナトリウム等の塩基性化合物の存在下、１３０〜１８０℃、５〜１５時間反応を行うことにより、下記式（４）の化合物が得られる。
【００２９】
【化３】
2008202011.tif 000005
【００３０】
【化４】
2008202011.tif 000006
【００３１】
得られた上記式（４）で表される化合物１モルに、パラアミノアセトアニリド  １〜５モルを、ＤＭＦ（Ｎ，Ｎ−ジメチルホルムアミド）等の非プロトン性極性有機溶媒中、炭酸ナトリウムのような塩基及び酢酸銅のような銅触媒の存在下、１１０〜１５０℃、２〜６時間ウルマン反応をおこなって縮合し、下記式（６）で表される化合物を得る。
【００３２】
【化６】
2008202011.tif 000007
【００３３】
得られた上記式（６）の化合物を８〜１５％発煙硫酸中、５０〜１００℃でスルホ化を行うと共にアセチルアミノ基を加水分解する事により、Ｘがスルホ及びＹが水素原子である下記式（７）で表されるアントラピリドン化合物を得る。
またスルホ化の反応条件を１０〜２０％発煙硫酸中、１００〜１４０℃とする事により、同様にＸ及びＹがいずれもスルホである下記式（７）で表されるアントラピリドン化合物を得る。
【００３４】
【化７】
2008202011.tif 000008
【００３５】
得られた上記式（７）の化合物１モルと、下記式（８）で表されるアシル化剤１〜５モルとを、水、有機溶媒又は含水有機溶媒中でｐＨ３〜１０、０〜５０℃、１０分〜５時間反応させることにより、上記式（１）で表される本発明のアントラピリドン化合物が得られる。Ｌが水素原子である式（１）の化合物を得たい場合には、通常のホルミル化反応を行えばよい。
【００３６】
【化８】
2008202011.tif 000009
【００３７】
（式（８）中、Ｑは塩素原子などの脱離基を、Ｌ及びＺは上記と同じ意味を表す）
【００３８】
上記式（１）の化合物は、以下に記載の別法にても得ることができる。
すなわち、上記式（８）においてＬがアルキレン基であり、かつＺが塩素原子で表されるアシル化剤と、上記式（７）の化合物とを反応させて上記式（１）において、Ｌがアルキレン基であり、かつＺが塩素原子で表される化合物を得る。得られた化合物の該塩素原子を、例えば水酸基、アニリン等のアミン類、フェノール類、チオール類等、一般式「Ｈ−Ｚ」で表される化合物で置換反応を行わせることにより、Ｚが塩素原子以外の上記式（１）で表される化合物へと誘導する方法である。
この方法の場合、ｐＨ９〜１２、５０〜１００℃、１０分〜５時間を反応条件として加水分解を行えばＺが水酸基である化合物が得られる。また、アンモニアや、塩素原子以外の望みのＺに対応する該「Ｈ−Ｚ」を、ｐＨ３〜１０、１０〜１００℃、１０分〜８時間を置換反応の条件として、Ｚが塩素原子である上記式（１）の化合物と反応させることにより、Ｚが塩素原子以外であり、かつＺとして望みの置換基が導入された上記式（１）の化合物が得ることができる。
なお、予めそれ自体が置換基を有するアミン類、フェノール類、又はチオール類等を用いて上記の置換反応を行えば、それぞれ対応する置換基を有するアミノ基、フェノキシ基又はチオ基等の誘導体も同様の方法により合成できる。
【００３９】
また上記の置換反応に際し、Ｚが塩素原子では置換反応の反応性が十分でない場合もある。当業者であれば周知のように、該塩素原子をより反応性の高い臭素あるいはヨウ素原子に反応系内（ｉｎ  ｓｉｔｕ）で、または段階的に置換して該反応に用いるなどの応用も可能である。さらに、Ｚが塩素原子の代わりに水酸基である化合物を用い、該水酸基を例えばトルエンスルホン酸エステル基などの脱離基へと誘導し、該脱離基を上記のアミン類、フェノール類、チオール類等により置換して、望みの上記式（１）の化合物を得ることもできる。
【００４０】
一方、上記式（１）において、Ｘ及びＹがいずれも水素原子で表される化合物の合成方法として、以下の方法をあげることができる。
すなわち、上記式（４）の化合物１モルに、４−アミノ−３−スルホ−アセトアニリド  １〜５モルを、ＤＭＦ等の非プロトン性極性有機溶媒中、炭酸ナトリウムのような塩基及び酢酸銅のような銅触媒の存在下、１１０〜１５０℃、２〜６時間ウルマン反応をおこなうことにより、下記式（９）の化合物を得る。
【００４１】
【化９】
2008202011.tif 000010
【００４２】
得られた式（９）の化合物のアセチルアミノ基を、２０〜８０％硫酸中、５０〜１２０℃で加水分解する事により、式（１０）の化合物を得る。
【００４３】
【化１０】
2008202011.tif 000011
【００４４】
得られた上記式（１０）の化合物を、上記式（７）の化合物の代わりに用い、上記と同様の反応を行うことにより、ＸおよびＹがいずれも水素原子である上記式（１）の化合物を得ることができる。
【００４５】
上記式（１）で表される化合物は、その総量中に含有される金属陽イオンの塩化物および硫酸塩等の無機塩（無機不純物）の量の少ないものを用いるのが好ましい。その含有量の目安は、化合物の総量に対して、おおよそ１重量％以下程度である。無機塩の少ない本発明の化合物を製造するには、例えば逆浸透膜による方法、又は、例えば水溶性有機溶剤と水との混合溶媒中で、目的化合物を懸濁精製する方法等の通常の方法で脱塩処理すればよい。懸濁精製の際に使用する有機溶剤に特に制限はないが、好ましくはＣ１−Ｃ４アルカノール、より好ましくはＣ１−Ｃ３アルカノール等が挙げられる。
【００４６】
本発明のインク組成物は、上記式（１）で表される化合物又はその塩を、水又は水性溶媒（後記する水溶性有機溶剤を含有する水）に溶解したものである。
例えば、上記式（１）で表される化合物は、場合により単離することを必要とせず、該化合物を含有する反応液などを、該インク組成物の製造に直接使用することが出来る。
又上記反応液から目的物を単離し、乾燥、例えばスプレー乾燥させ、次にインク組成物に加工することも当然できる。本発明のインク組成物は、本発明の化合物を通常０．１〜２０重量％、より好ましくは１〜１５重量％、更に好ましくは２〜１０重量％含有するのがよい。本発明のインク組成物には水溶性有機溶剤０〜３０重量％、インク調整剤０〜５重量％をそれぞれさらに含有してもよい。
【００４７】
上記の水溶性有機溶剤の具体例としては、例えばメタノール、エタノール、ｎ−プロパノール、イソプロパノール、ｎ−ブタノール、イソブタノール、第二ブタノール、第三ブタノール等のＣ１〜Ｃ４アルカノール；ＤＭＦ又はＮ，Ｎ−ジメチルアセトアミド等のカルボン酸アミド；２−ピロリドン、Ｎ−メチル−２−ピロリドン等のラクタム；１，３−ジメチルイミダゾリジン−２−オン又は１，３−ジメチルヘキサヒドロピリミド−２−オン等の環式尿素類；アセトン、メチルエチルケトン、２−メチル−２−ヒドロキシペンタン−４−オン等のケトン又はケトアルコール、テトラヒドロフラン、ジオキサン等の環状エーテル；エチレングリコール、１，２−又は１，３−プロピレングリコール、１，２−又は１，４−ブチレングリコール、１，６−ヘキシレングリコール、ジエチレングリコール、トリエチレングリコール、テトラエチレングリコール、ジプロピレングリコール、チオジグリコール、ポリエチレングリコール、ポリプロピレングリコール等の（Ｃ２〜Ｃ６）アルキレン単位を有するモノ、オリゴ又はポリアルキレングリコール、又はチオグリコール；グリセリン、ヘキサン−１，２，６−トリオール等のポリオール（トリオール）；エチレングリコールモノメチルエーテル、エチレングリコールモノエチルエーテル、エチレングリコールモノブチルエーテル（ブチルカルビトール）、ジエチレングリコールモノメチルエーテル、ジエチレングリコールモノエチルエーテル、トリエチレングリコールモノメチルエーテル又はトリエチレングリコールモノエチルエーテル等の多価アルコールの（Ｃ１〜Ｃ４）アルキルエーテル；γーブチロラクトン又はジメチルスルホキシド等があげられる。
【００４８】
これらのうち好ましいものとしては２−ピロリドン、Ｎ−メチル−２−ピロリドン、モノ、ジ又はトリエチレングリコール、ジプロピレングリコール、イソプロパノール、又はブチルカルビトールが挙げられ、より好ましいものは、２−ピロリドン、Ｎ−メチル−２−ピロリドン、イソプロパノール、ジエチレングリコール、又はブチルカルビトールである。これらの水溶性有機溶剤は単独でも、また混合して用いてもよい。
【００４９】
上記のインク調製剤としては、例えば防腐防黴剤、ｐＨ調整剤、キレート試薬、防錆剤、水溶性紫外線吸収剤、水溶性高分子化合物、染料溶解剤、界面活性剤などが挙げられる。
防腐防黴剤としては、例えば、有機硫黄系、有機窒素硫黄系、有機ハロゲン系、ハロアリルスルホン系、ヨードプロパギル系、Ｎ−ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジアジン系、アニリド系、アダマンタン系、ジチオカーバメイト系、ブロム化インダノン系、ベンジルブロムアセテート系、無機塩系等の化合物が挙げられる。有機ハロゲン系化合物としては、例えばペンタクロロフェノールナトリウムが挙げられ、ピリジンオキシド系化合物としては、例えば２−ピリジンチオール−１−オキサイドナトリウムが挙げられ、イソチアゾリン系化合物としては、例えば１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。その他の防腐防黴剤として、無水酢酸ソーダ、ソルビン酸ソーダ又は安息香酸ナトリウム等があげられる。
【００５０】
上記のｐＨ調整剤としては、調合されるインクに悪影響を及ぼさずに、インクのｐＨを８．０〜１１．０の範囲に制御できるものであれば任意の物質を使用することができる。例えば、ジエタノールアミン、トリエタノールアミンなどのアルカノールアミン、水酸化リチウム、水酸化ナトリウム、水酸化カリウムなどのアルカリ金属の水酸化物、水酸化アンモニウム、あるいは炭酸リチウム、炭酸ナトリウム、炭酸カリウムなどのアルカリ金属の炭酸塩などが挙げられる。
キレート試薬としては、例えばエチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウムなどがあげられる。
防錆剤としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライトなどがあげられる。
水溶性紫外線吸収剤としては、例えばスルホン化されたベンゾフェノン又はスルホン化されたベンゾトリアゾール等があげられる。水溶性高分子化合物としては、例えばポリビニルアルコール、セルロース誘導体、ポリアミン、ポリイミン等があげられる。
染料溶解剤としては、例えば尿素、ε−カプロラクタム、エチレンカーボネート等があげられる。
【００５１】
上記の界面活性剤としては、アニオン界面活性剤、両性界面活性剤、カチオン界面活性剤、ノニオン界面活性剤が、それぞれ目的に応じて使用出来る。
該アニオン界面活性剤の例としてはアルキルスルホカルボン酸塩、α−オレフィンスルホン酸塩、ポリオキシエチレンアルキルエーテル酢酸塩、Ｎ−アシルアミノ酸及びその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリルスルホン酸塩、ジエチルスルホ琥珀酸塩、ジエチルヘキルシルスルホ琥珀酸塩、ジオクチルスルホ琥珀酸塩などが挙げられる。
カチオン界面活性剤の例としては２−ビニルピリジン誘導体、ポリ４−ビニルピリジン誘導体などがある。
両性界面活性剤の例としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、その他イミダゾリン誘導体などがある。
ノニオン界面活性剤の例としては、ポリオキシエチレンノニルフェニルエーテル、ポリオキシエチレンオクチルフェニルエーテル、ポリオキシエチレンドデシルフェニルエーテル、ポリオキシエチレオクチルフェニルエーテル、ポリオキシエチレンオレイルエーテル、ポリオキシエチレンラウリルエーテル、ポリオキシエチレンアルキルエーテルなどのエーテル系；ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレートなどのエステル系；２，４，７，９−テトラメチル−５−デシン−４，７−ジオール、３，６−ジメチル−４−オクチン−３，６−ジオール、３，５−ジメチル−１−ヘキシン−３−オールなどのアセチレングリコール（アルコール）系等が挙げられる。これらの市販品としては、例えば、日信化学社製、商品名サーフィノール１０４、８２、４６５、オルフィンＳＴＧなどが挙げられる。
これらのインク調製剤は、必要に応じて単独で使用しても、複数を併用してもよい。
【００５２】
インク組成物を調製するに当たり、前記各薬剤を溶解させる順序に特に制限はない。
上記式（１）で表される化合物を水、又は含水水溶性有機溶剤に溶解させ、次いでインク調製剤を添加してもよいし、該化合物を水に溶解させたのち、水溶性有機溶剤、インク調製剤を添加して調製してもよい。
インク組成物を調製するにあたり、用いる水はイオン交換水又は蒸留水など不純物が少ない精製水を使用するのが好ましい。
インク組成物の調製後、更に、必要に応じメンブランフィルターなどを用いて精密濾過を行って夾雑物を除いてもよい。インクジェットプリンタ用のインク組成物を調製する場合には、一般には、精密濾過を行うことが好ましい。精密濾過を行うフィルターの孔径は通常１ミクロン〜０．１ミクロン、好ましくは、０．８ミクロン〜０．２ミクロンである。
尚、本発明のインク組成物に、さらに従来のマゼンタ、シアン等の染料を配合することによって、赤味又は青味等、好みのバイオレットの色調に調色することも当然可能である。
【００５３】
本発明のインク組成物は、天然及び合成繊維材料又は混紡品の印刷にも適しているが、最も好ましい用途はインクジェット記録方法を用いる被記録材料上への印刷である。
本発明の上記式（１）で表される化合物、又は該化合物を含有するインク組成物により記録された画像は、水、日光、オゾン及び摩擦に対する良好な耐性を有する高品質のバイオレット印捺物を与える。
【００５４】
本発明の着色体は前記の本発明のインク組成物で着色されたものである。着色される材料には、特に制限は無く、例えば紙、繊維や布（セルロース、ナイロン、羊毛等）、皮革、カラーフィルター用基材等があげられるが、これらに限定されない。
【００５５】
本発明のインクジェット記録方法に用いる好ましい被記録材料としては紙、フィルム等の情報伝達用シートが挙げられる。情報伝達用シートについては、表面処理されたもの、具体的にはこれらの基材にインク受容層を設けたものが好ましい。
該インク受容層は、例えば上記基材にカチオン系ポリマーを含浸あるいは塗工すること；また多孔質シリカ、アルミナゾルや特殊セラミックス等、インク中の色素を吸収し得る無機微粒子を、ポリビニルアルコールやポリビニルピロリドン等の親水性ポリマーと共に上記基材表面に塗工すること；等により設けられる。
このようなインク受容層を設けた被記録材料は、通常インクジェット専用紙（フィルム）あるいは光沢紙（フィルム）等と呼ばれる。これらの具体例としては、商品名ピクトリコ（旭硝子（株）製）；商品名カラーＢＪペーパー、カラーＢＪフォトフィルムシート、プロフェッショナルフォトペーパー（いずれもキャノン（株）製）；商品名カラーイメージジェット用紙（シャープ（株）製）；商品名ＰＭ写真用紙、スーパーファイン専用光沢フィルム（いずれもエプソン（株）製）；商品名ピクタファイン（日立マクセル（株）製）等として市販されている。なお、普通紙にも当然、使用できる。
【００５６】
本発明のインクジェット記録方法では、本発明のインク組成物と共に、必要に応じてマゼンタ、シアン、及びブラック等の各インク組成物を併用することもできる。
各色のインク組成物は、それぞれの容器に注入され、この容器を、本発明のインク組成物を含有する容器と同様に、インクジェットプリンタの所定の位置にセット（装填）して使用すればよい。
【００５７】
本発明のインクジェット記録方法を用いて被記録材料に記録を行うには、例えば本発明のインク組成物を含有する容器をインクジェットプリンタの所定の位置にセットし、通常の方法で記録を行えばよい。
インクジェットプリンタとしては、例えば機械的振動を利用したピエゾ方式；又は加熱により生ずる泡を利用したバブルジェット（登録商標）方式等のプリンタがあげられるが、特にこれらの方式には限定されない。
【００５８】
本発明のインク組成物は水性であり、かつ鮮明なバイオレット色であり、特にインクジェット光沢紙において鮮明性に優れた色相を有する。また、人に対する安全性も高い。
従来のマゼンタ及び／又はシアンインクと併用する事により、従来の色素では成し得なかった広い可視領域の色調を表現する事もでき、優れた記録物を得ることができる。また、記録画像の堅牢度が高い。
【００５９】
本発明のインク組成物は貯蔵中に沈澱、及び／又は分離することがない。また、該インク組成物をインクジェット記録に使用した場合、噴射器（インクヘッド）を閉塞することもない。さらに該インク組成物は連続式インクジェットプリンタによる比較的長い時間における一定の再循環下；又はオンデマンド式インクジェットプリンタによる断続的な使用条件下においても、物理的性質の変化を起こしにくい。
【実施例】
【００６０】
以下に本発明を実施例により更に具体的に説明する。特に断りのない限り、下記する表記、条件等のもとに実験を行った。
１．実施例中「部」及び「％」とあるのは重量基準である。
２．各反応は攪拌下に行った。
３．温度の記載は反応系内の反応温度である。
４．化合物の最大吸収波長（λｍａｘ）は、水溶液での測定値である。
５．目的化合物の純度は、ＨＰＬＣを使用して測定し、その面積比を純度として記載した。
なお、ＨＰＬＣの使用機器ならびに分析条件は以下の通りである。
【００６１】
装置        ；ＨＰ１１００（ＨＰ社製）
カラム      ；ＹＭＣ−Ｐａｃｋ  ＯＤＳ−Ａ（５μｍ）、
６．０×２５０ｍｍ（ＹＭＣ社製）
カラム温度  ；４０℃
移動相      ；Ａ：５ｍＭ  ＡｃＯＮＨ4水溶液、  Ｂ：ＣＨ3ＣＮ
グラジエント；Ｂ ｃｏｎｃ.  ２０％−（３０ｍｉｎ）−６０％
流量        ；０．８ｍｌ／ｍｉｎ
【００６２】
実施例１（表１における化合物Ｎｏ．１の合成）
（１）
キシレン３６０部中に、Ｒ1がメチルである上記式（３）の化合物９４．８部、炭酸ナトリウム３．０部、ベンゾイル酢酸エチルエステル１４４．０部を順次加えて昇温し、１４０〜１５０℃の温度で８時間反応を行った。この間、反応の進行と共に生成するエタノールと水を、キシレンと共沸させながら反応系外へ留去し、反応を完結させた。反応液を３０℃に冷却し、メタノール２４０部を添加して３０分攪拌した。析出固体を濾取し、メタノール３６０部で洗浄後、乾燥することにより、Ｒ1がメチル、Ｒ2が水素原子で表される上記式（４）の化合物１２４．８部を淡黄色針状結晶として得た。
（２）
Ｎ，Ｎ―ジメチルホルムアミド５００．０部中に、実施例１（１）で得られた式（４）の化合物１１１部、パラアミノアセトアニリド１１４．１部、酢酸銅１水和物３０．０部及び酢酸ナトリウム３０．８部を順次加えて１３０〜１３５℃に昇温し、３時間反応を行った。約５０℃に冷却後、析出固体を濾取し、Ｎ，Ｎ―ジメチルホルムアミド１２５部、メタノール５００部、及び８０℃の温水で順次洗浄し、乾燥することにより、Ｒ1がメチル、Ｒ2が水素原子で表される上記式（６）の化合物１０４．７部を青味赤色結晶として得た。
（３）
９５．０％硫酸２１７．７部に、水冷しながら３０．５％発煙硫酸３４２．２部を添加して、１０％発煙硫酸５６０部を調製した。
水冷下、実施例１（２）で得られた式（６）の化合物１０２．７部を６０℃以下の反応温度を保ちながら添加した後、９０〜９５℃に昇温して１．５時間反応を行った。
氷水１５００部中に、発熱による昇温を氷を加えることにより５０℃以下に保持しながら、上記の反応液を添加した。これに水を加えて液量を２０００部とした後、不溶解分をろ去した。
得られた母液に水を加えて２５００部とし、２０〜４０℃で食塩５００部を添加して５時間攪拌し、析出した結晶を濾取した。得られた固体を２０％塩化ナトリウム水溶液３００部で洗浄することにより、Ｒ1がメチル、Ｒ2が水素原子、Ｘがスルホ、Ｙが水素原子で表される上記式（７）の化合物のウェットケーキ１５６部を青色結晶として得た。
メタノール８００部に得られたウェットケーキを加えて５０℃で３０分攪拌後、濾取して得られるケーキを乾燥することにより、精製されたＲ1がメチル、Ｒ2が水素原子で表される上記式（７）の化合物８７．０部を青色結晶として得た。
（４）
ＤＭＦ５０部中に、実施例１（３）で得られた式（７）の化合物３．２部、ＴｓＣｌ（ｐ−トルエンスルホン酸クロリド）２．９部、及び炭酸カリウム２．１部を順次添加後、９０℃で１時間反応した。反応液にイソプロピルアルコール５０部を滴下し析出した結晶を濾取することにより粗ウェットケーキ６．５部を得た。
（５）
実施例１（４）で得られた粗ウェットケーキをメタノール５０部中に添加し、６０〜６５℃にて１時間攪拌した。析出固体を濾取、乾燥することにより、目的とする上記表１における化合物Ｎｏ．１の脱塩精製体１．６部を紫色結晶として得た。
λｍａｘ：５５２ｎｍ
【００６３】
実施例２（表１における化合物Ｎｏ．２の合成）
（１）
水冷下、９５．０％硫酸３５．９部に、３１．２％発煙硫酸６４．１部を添加して、１２％発煙硫酸１００部を調製した。
水冷下、上記の発煙硫酸１００部に、実施例１（２）で得られた式（６）の化合物１２．８部を６０℃以下の反応温度に保ちながら添加した後、１２０〜１３０℃に昇温して８時間反応を行った。
氷水１５０部中に、発熱による昇温を氷を加えることにより５０℃以下に保持しながら、上記の反応液を添加した。これに水を加えて液量を２５０部とし、温度を２０〜４０℃に保ちながら、食塩５０部を添加して２時間攪拌した。析出した結晶を濾取し、２０％塩化ナトリウム水溶液３００部で洗浄することにより、Ｒ1がメチル、Ｒ2が水素原子、Ｘ及びＹがスルホで表される上記式（７）の化合物のウェットケーキ２６．１部を得た。
（２）
ＤＭＦ５０部に実施例２（１）で得られた式（７）の化合物のウェットケーキ１３．０部及びＴｓＣｌ１．９部を添加し、２０℃で１時間反応を行った。反応液にイソプロピルアルコール６０部を滴下して、析出した結晶を濾取し、粗ウェットケーキを得た。
（３）
実施例２（２）で得られた粗ウェットケーキをエタノ−ル２０部中に添加し、６０〜６５℃にて１時間攪拌した。析出固体をろ取、乾燥することにより、目的とする上記表１におけるＮｏ．２の化合物の脱塩精製体１．０部を紫色結晶として得た。
λｍａｘ：５３９ｎｍ、純度８４％
【００６４】
実施例３（表１における化合物Ｎｏ．３の合成）
（１）
実施例１（３）で得られた式（７）の化合物６．３部を水３０部に加え、２５％水酸化ナトリウム水溶液を用いてｐＨ＝８．５に調整後、１０℃に冷却した。
冷却により該温度、及び水酸化ナトリウム水溶液により該ｐＨをそれぞれ保持しながら、クロロアセチルクロリド２．３部を滴下した後、同条件で２時間反応を行うことにより、Ｒ1がメチル、Ｒ2及びＹが水素原子、Ｌがメチレン、Ｚが塩素原子である上記式（１）の化合物を含有する反応液を得た。
（２）
実施例３（１）で得られた式（１）の化合物を含有する反応液中に、メルカプトプロパンスルホン酸５．４部を添加した後、４０℃へ昇温し、２５％水酸化ナトリウム水溶液によりｐＨ＝６〜８に調整して１時間反応を行った。
得られた反応液を６０℃へさらに昇温した後、反応液に濃塩酸を添加してｐＨを１．０に調整し、塩化ナトリウム６部をさらに添加し、６０〜６５℃にて３０分攪拌した。
析出した結晶を濾取し、２０％塩化ナトリウム水溶液で洗浄することにより、粗ウェットケーキを紫色結晶として得た。
（３）
実施例３（２）で得られた粗ウェットケーキを、エタノ−ル２０部中に添加し、６０〜６５℃にて１時間攪拌した。析出固体をろ取、乾燥することにより、目的とする表１におけるＮｏ．３の化合物の脱塩精製体５．４部を紫色結晶として得た。
λｍａｘ：５４２ｎｍ、純度９１％
【００６５】
実施例４（表１における化合物Ｎｏ．４の合成）
（１）
水３０部に、実施例２（１）で得られた式（７）の化合物のウェットケーキ１２．３部を加え、２５％水酸化ナトリウム水溶液を用いてｐＨ＝８．５に調整後、１０℃に冷却した。冷却により該温度を保持し、２５％水酸化ナトリウム水溶液によりｐＨ＝６〜９に調整しながらクロロアセチルクロリド１．１部を滴下した後、同条件で２時間反応を行うことにより、Ｒ1がメチル、Ｒ2が水素原子、Ｘ及びＹがスルホ、Ｌがメチレン、Ｚが塩素原子である式（１）の化合物を含有する反応液を得た。
（２）
実施例４（１）で得られた式（１）の化合物を含有する反応液に、メルカプトプロパンスルホン酸３．６部を添加して４０℃へ昇温し、ｐＨ＝６〜８の条件下で１時間反応を行った。
得られた反応液を６０℃にさらに昇温し、濃塩酸を添加してｐＨを１．０に調整し、次いで食塩６部をさらに添加し、６０〜６５℃にて３０分攪拌した。
析出した結晶を濾取し、２０％塩化ナトリウム水溶液で洗浄することにより、粗ウェットケーキを紫色結晶として得た。
（３）
実施例４（２）で得られた粗ウェットケーキをエタノ−ル２０部中に添加し、６０〜６５℃にて１時間攪拌した。析出固体をろ取、乾燥することにより、目的とする上記表１におけるＮｏ．４の化合物の脱塩精製体２．３部を紫色結晶として得た。
λｍａｘ：５３５ｎｍ、純度８３％
【００６６】
実施例５（表１における化合物Ｎｏ．２６の合成）
（１）
実施例１（３）で得られた式（７）の化合物６．３部を水３０部に加え、２５％水酸化ナトリウム水溶液を用いてｐＨ＝８．５に調整後、１０℃に冷却した。
冷却により該温度、及び水酸化ナトリウム水溶液により該ｐＨをそれぞれ保持しながら、クロロアセチルクロリド２．３部を滴下した後、同条件で２時間反応を行うことにより、Ｒ1がメチル、Ｒ2及びＹが水素原子、Ｌがメチレン、Ｚが塩素原子である上記式（１）の化合物を含有する反応液を得た。
（２）
実施例５（１）で得られた式（１）の化合物を含有する反応液中に、２−チオサリチル酸３．１部を添加した後、３０℃へ昇温し、２５％水酸化ナトリウム水溶液によりｐＨ＝６〜８に調整して１時間反応を行った。
得られた反応液に濃塩酸を添加してｐＨを５．０に調整し、析出した結晶を濾取し、２０％塩化ナトリウム水溶液で洗浄することにより、粗ウェットケーキを紫色結晶として得た。
（３）
実施例５（２）で得られた粗ウェットケーキを、エタノ−ル２０部中に添加し、６０〜６５℃にて１時間攪拌した。析出固体をろ取、乾燥することにより、目的とする表１におけるＮｏ．３の化合物の脱塩精製体５．４部を紫色結晶として得た。
λｍａｘ：５４１ｎｍ、純度８７％
【００６７】
実施例６
（Ａ）インクの調整
上記実施例１で得られた化合物（化合物Ｎｏ．１）を用いて下記表２に示した組成の液体を調整し、０．４５μｍのメンブランフィルターで濾過することによりインクジェット記録用の水性インク組成物を得た。また水はイオン交換水を使用した。尚、インク組成物のｐＨが８〜１０、総量１００部になるように水、及び２５％水酸化ナトリウム水溶液を加えた。実施例１で得られた化合物を用いた試験を実施例６とする。実施例２〜４で得られた化合物を用い、それぞれ上記と同様にしてインクを調整し、これらのインクを用いた試験をそれぞれ実施例７〜９とする。
【００６８】
表２（インク組成物）
実施例１の化合物（化合物Ｎｏ．１）              ３．５部
グリセリン                                      ５．０部
尿素                                            ５．０部
Ｎ−メチルー２−ピロリドン                      ４．０部
イソプロピルアルコール                          ３．０部
ブチルカルビトール                              ２．０部
サーフィノール１０４ＰＧ５０（日信化学社製）    ０．１部
水＋２５％ＮａＯＨ                            ７７．４部
計                                          １００．０部
【００６９】
比較例１
比較例１として、実施例１で得られた化合物Ｎｏ．１の代わりに、特許文献４の実施例１（化合物Ｎｏ.１）に記載の化合物を使用する以外は上記と同様にしてインクを調整し、このインクを用いた試験を比較例１とした。なお、比較例１の化合物は、下記式（１１）で表される化合物である。
【００７０】
【化１１】
2008202011.tif 000012
【００７１】
（Ｂ）インクジェットプリント（試験片の調整）
インクジェットプリンタ（商品名ｉＰ４１００、キヤノン社製）を用いて、多孔性白色無機物を含有するインク受容層を有する３種類の光沢紙にインクジェット記録を行い、それぞれ記録画像を得た。これを試験片とし、以下に示す色相評価および各種試験を行った。
尚使用した光沢紙は下記のとおりである。
光沢紙１：キヤノン社製、商品名プロフェッショナルフォトペーパーＰＲ１０１
光沢紙２：エプソン社製、商品名クリスピア
光沢紙３：ヒューレットパッカード製、商品名アドバンスフォトペーパー
【００７２】
（Ｃ）記録画像の評価
１）色相評価
記録画像の色相、鮮明性：記録紙を測色システム（ＧＲＥＴＡＧ  ＳＰＭ５０：ＧＲＥＴＡＧ社製）を用いて、Ｌ＊、ａ＊、ｂ＊値を測色した。
彩度（Ｃ＊）は以下の式で求められる。
Ｃ＊値＝（（ａ＊）2＋（ｂ＊）2）1/2
なお彩度の値は大きいほど鮮明性が高いことを示し、好ましい。
また色相角（ｈ）は、測色したａ＊、及びｂ＊値により、以下の式により求められる。
ａ＊≧０、かつｂ＊値≧０の場合：ｈ＝ｔａｎ-1（ｂ＊／ａ＊）
ａ＊≧０、かつｂ＊値＜０の場合：ｈ＝３６０＋ｔａｎ-1（ｂ＊／ａ＊）
ａ＊＜０  の場合：ｈ＝１８０＋ｔａｎ-1（ｂ＊／ａ＊）
【００７３】
実施例６〜９、及び比較例１のそれぞれについて、３種類の光沢紙を用いた試験片の色相の測定結果を表３に示す。
【００７４】
表３
光沢紙１
色相               彩度      色相角
ａ＊      ｂ＊          Ｃ＊        ｈ
実施例６      ６５．９  −６０．１    ８９．３    ３１８
実施例７      ６３．２  −４３．８    ７７．１    ３２５    
実施例８      ５１．０  −５２．３    ８３．６    ３１６
実施例９      ５９．４  −４６．３    ７５．３    ３２２
比較例１      ５８．１  −４３．１    ７２．６    ３２３
光沢紙２
色相             彩度      色相角
ａ＊      ｂ＊        Ｃ＊        ｈ
実施例６      ６７．５  −６５．６    ９４．１    ３１６
実施例７      ６５．８  −４４．１    ７９．５    ３２６    
実施例８      ４８．１  −５５．６    ８５．２    ３１３
実施例９      ５９．０  −４８．４    ７６．５    ３２１
比較例１      ５６．０  −４１．７    ６９．９    ３２３
光沢紙３
色相             彩度      色相角
ａ＊        ｂ＊      Ｃ＊        ｈ
実施例６      ５３．８  −５４．８  ９１．０    ３１６
実施例７      ６３．６  −４０．４  ７５．３    ３２８    
実施例８      ４６．８  −５２．３  ８２．２    ３１４
実施例９      ５６．６  −４５．７  ７２．８    ３２１
比較例１      ５８．０  −３８．９  ６９．９    ３２６
【００７５】
表３より、実施例６〜９の色相角は比較例１と略近似した範囲（ｈ＝３１４〜３２８）にあり、これらはいずれもバイオレット色として好ましい色相である。
一方、彩度に着目すると、光沢紙１、２及び３のそれぞれについて、比較例１の彩度はそれぞれ７２．６、６９．９、及び６９．９であるのに対して、実施例６〜９は同様に７５．３〜８９．３、７６．５〜９４．１及び７２．８〜９１．０であり、いずれの場合においても比較例１よりも大きい値を示した。
従って、各実施例は良好なバイオレットの色相と、非常に高い鮮明性とを共に有することがわかる。
【００７６】
２）オゾン耐性試験
前記の方法により調整した各試験片を、オゾンウエザーメーター（スガ試験機社製）を用い、温度２４℃、湿度６０％ＲＨ、オゾン濃度１０ｐｐｍの環境下に４時間放置し、試験前後の色差（ΔＥ）を測定した。
色差（ΔＥ）は試験前後の色変化の差を示すため、値が小さいほど耐久性に優れることを示し、これは後記する耐光性試験の場合も同様である。試験結果を表４に示す。
表４
光沢紙１      光沢紙２      光沢紙３  
実施例６      ２２．６      ２８．５      ２２．１
実施例７      １９．１      １４．２      １０．６
実施例８      ２３．１      ３７．５      ３０．１
実施例９      ２４．２      ２６．６      ２４．４
比較例１      ４７．３      ３９．３      ３５．１
【００７７】
表４の結果より、実施例６〜９の含有するインク組成物は、光沢紙の種類により多少のばらつきはあるものの、光沢紙１から３全ての記録画像におけるオゾン耐性試験前後の色差（ΔＥ）の値が、比較例１よりも小さく、オゾン耐性においても非常に優れていることがわかる。
具体的には光沢紙１、２及び３のそれぞれについて、比較例１の色差がそれぞれ４７．３、３９．３、及び３５．１であるのに対して、各実施例は同様に１９．１〜２４．２、１４．２〜３７．５、及び１０．６〜３０．１であり、いずれの場合も比較例より小さい値を示した。特に光沢紙１を用いた場合の各実施例のオゾン耐性は著しく優れている。
【００７８】
３）キセノン耐光性試験
前記の方法により調整した各試験片を、キセノンウエザーメーターＣｉ４０００（ＡＴＬＡＳ社製）を用い、温度２４℃、湿度６０％ＲＨの環境下で、０．３６ｗ／ｍ2照度で５０時間放置し、試験前後の色差（ΔＥ）を測定した。その結果を表５に示す。
表５
光沢紙３
実施例７    ４．５
比較例１    ６．０
【００７９】
表５の結果より明らかなように、実施例７のインク組成物により光沢紙３に記録された画像におけるオゾン耐性試験前後の色差（ΔＥ）の値が、比較例１よりも小さく、耐光性においても優れていることがわかる。
【００８０】
表３〜表５の結果から明らかなように、本発明の化合物を含有するインク組成物は、非常に鮮明性が高く、かつ良好な色相のバイオレット色を与えることが判る。更にこのインク組成物により記録された印刷物の各種堅牢性、特にオゾン耐性及び耐光性は極めて優れたものであることがわかる。